(57)【要約】【課題】コンポジット信号およびコンポーネント信号の入力端子を共用することが可能な入力端子を備えた画像処理装置を提供することを目的とする。【解決手段】画像信号としてコンポーネント信号およびコンポジット信号を入力可能な入力端子１と、入力端子１から供給されたコンポーネント信号の処理を行う入力部１１ａを備えたビデオデコーダ１１と、入力端子１から供給されたコンポジット信号の処理を行う入力部１１ｄを備えたビデオデコーダ１１と、入力端子１に接続され、入力端子１に入力された画像信号からコンポーネント信号またはコンポジット信号を判別し、判別結果に従いコンポーネント信号またはコンポジット信号を入力部１１ａまたは１１ｂへ出力する判定分離回路１２とを有する。【選択図】　　　図２
2004056719.tif 000002
【特許請求の範囲】
【請求項１】
画像信号を入力し該画像信号を処理する画像処理装置であって、
画像信号としてコンポーネント信号およびコンポジット信号を入力可能な入力端子と、
前記入力端子から供給されたコンポーネント信号を受け取り、コンポーネント信号の処理を行う第１の処理部と、
前記入力端子から供給されたコンポジット信号を受け取り、コンポジット信号の処理を行う第２の処理部と、
前記入力端子に接続され、前記入力端子に入力された画像信号からコンポーネント信号またはコンポジット信号を判別し、判別結果に従いコンポーネント信号またはコンポジット信号を前記第１の処理部または第２の処理部へ出力する判別手段と、
を有する画像処理装置。
【請求項２】
前記入力端子は複数の入力端子を有し、前記複数の入力端子の少なくとも１つの入力端子が前記コンポーネント信号および前記コンポジット信号を入力可能である、請求項１に記載の画像処理装置。
【請求項３】
前記少なくとも１つの入力端子は、前記コンポーネント信号のＹ（輝度）信号とコンポジット信号とを入力可能である、請求項２に記載の画像処理装置。
【請求項４】
前記複数の入力端子は、コンポーネント信号の色差信号を入力する入力端子を含む、請求項２に記載の画像処理装置。
【請求項５】
前記入力端子はコンポーネント信号を入力する複数の入力端子を有し、複数の入力端子のそれぞれがコンポジット信号を入力可能である、請求項１に記載の画像処理装置。
【請求項６】
前記判別手段は、前記画像信号に含まれる同期信号からコンポーネント信号またはコンポジット信号かを判別する、請求項１ないし５いずれかに記載の画像処理装置。
【請求項７】
前記判別手段は、前記画像信号に含まれるクロマ信号からコンポーネント信号またはコンポジット信号を判別する、請求項１ないし５いずれかに記載の画像処理装置。
【請求項８】
前記画像処理装置は、コンポーネント信号とコンポジット信号を出力するための出力端子を有する、請求項１ないし７いずれかに記載の画像処理装置。
【請求項９】
前記画像処理装置は、入力された画像信号から画像を光学的に投射表示するプロジェクタを含む、請求項８に記載の画像処理装置。
【発明の詳細な説明】
【０００１】
【発明の属する技術分野】
本発明は、ディスプレイ、プロジェクタ、ビデオレコーダ、ＤＶＤ等の画像信号を処理する画像処理装置の入出力端子に関し、特に、コンポジット信号とコンポーネント信号を入力する入力端子に関する。
【０００２】
【従来の技術】
従来のディスプレイやプロジェクタ等の電子機器は、画像信号であるコンポジット信号を入力する端子と、コンポーネント信号を入力する端子とをそれぞれ個別に備えている。
【０００３】
コンポジット信号は、輝度信号（Ｙ）と色に関するクロマ信号（Ｃ）を１つに束ね、これに同期信号（Ｈ、Ｖ）を加えた画像信号である。他方、コンポーネント信号は、輝度に関する情報と色に関する情報とを分離して伝送・処理するため、輝度信号（Ｙ）、色差信号（Ｃｂ／Ｐｂ、Ｃｒ／Ｐｒ）とをそれぞれ分けた画像信号である。
【０００４】
図６は、従来のプロジェクタ等の画像処理装置における画像信号の入力端子の一構成を示す図である。画像処理装置１００は、コンポジット信号を入力するＶｉｄｅｏ端子１０１と、コンポーネント信号を入力する輝度（Ｙ）端子１０２、色差信号であるＣｂ／ＰｂおよびＣｒ／Ｐｒを入力する端子１０３、１０４をそれぞれ備えている。なお、Ｃｂ、Ｃｒは、ＮＴＳＣまたはＰＡＬレベルの信号についてのコンポーネント信号を意味し、Ｐｂ、Ｐｒはハイビジョンのフォーマットで使用できるコンポーネント信号を意味する。
【０００５】
図７は、図６に示す入力端子に接続された入力回路の構成を示すものである。コンポジット信号を入力するＶｉｄｅｏ端子１０１と、コンポーネント信号をそれぞれ入力する輝度（Ｙ）端子１０２、色差端子（Ｃｂ／Ｐｂ、Ｃｒ／Ｐｒ）１０３、１０４は、それぞれビデオデコーダ１１０の対応する入力部に接続され、そこで処理される。
【０００６】
ビデオデコーダ１１０は、Ｖｉｄｅｏ端子１０１から入力されたコンポジット信号を、輝度信号、クロマ信号、および同期信号に分別し、分別された輝度信号およびクロマ信号をＡ／Ｄ変換処理する。また、コンポーネント信号である、Ｙ端子１０２、Ｃｂ／Ｙｂ端子１０３、Ｃｒ／Ｐｒ端子１０４から入力された画像信号は、ビデオデコーダ１１０の各入力部から入力された後、Ａ／Ｄ変換処理され、これらのデジタル信号が出力１１１として出力される。出力１１１からのデジタル画像信号は、図示しない画像メモリ等に蓄積され、各装置に応じた画像処理が行われる。
【０００７】
【発明が解決しようとする課題】
しかしながら、上述した従来の画像処理装置の入力端子の構造は、コンポーネント信号を入力するための３つの入力端子と、コンポジット信号を入力するための１つの入力端子とを個別に有するため、それに応じた実装スペースが必要になってしまう。特に、プロジェクタ等の画像処理装置にポータブル機能やモバイル機能を持たせる場合、装置の小型化、薄型化が必須となり、入力端子によって占有されるスペースも無視できないものとなってしまう。
【０００８】
そこで本発明は、従来技術の課題を解決し、コンポジット信号およびコンポーネント信号を入力する入力端子のスペースを小さくすることが可能な画像処理装置を提供することを目的とする。
さらに本発明は、コンポジット信号とコンポーネント信号の入力端子を共用することが可能な入力端子を備えた画像処理装置を提供することを目的とする。
さらに本発明は、コンポジット信号の入力端子とコンポーネント信号の出力端子とを共有することが可能な入出力端子を備えた画像処理装置を提供することを目的とする。
【０００９】
【課題を解決するための手段】
本発明は、画像信号を入力し該画像信号を処理する画像処理装置において以下の構成を含むものである。画像信号としてコンポーネント信号およびコンポジット信号を入力可能な入力端子と、前記入力端子から供給されたコンポーネント信号を受け取り、コンポーネント信号の処理を行う第１の処理部と、前記入力端子から供給されたコンポジット信号を受け取り、コンポジット信号の処理を行う第２の処理部と、前記入力端子に接続され、前記入力端子に入力された画像信号からコンポーネント信号またはコンポジット信号を判別し、判別結果に従いコンポーネント信号またはコンポジット信号を前記第１の処理部または第２の処理部へ出力する判別手段とを有する。
【００１０】
上記発明によれば、コンポーネント信号とコンポジット信号を入力可能な入力端子を設け、この入力端子にコンポーネント信号またはコンポジット信号が入力されたときに、その信号がいずれの信号であるかを判別するようにしたので、コンポジット信号の入力端子とコンポーネント信号の入力端子とを共用することができ、ひいては入力端子の端子数または端子スペースを削減することができ、画像処理装置の小型化、薄型化を図ることが可能となる。
【００１１】
好ましくは入力端子は、複数の入力端子を有し、前記複数の入力端子の少なくとも１つの入力端子が前記コンポーネント信号および前記コンポジット信号を入力可能である。例えば、少なくとも１つの入力端子は、コンポーネント信号のＹ（輝度）信号とコンポジット信号とを入力するようにしても良い。また、複数の入力端子は、色差信号を入力する入力端子を含むものであっても良い。
【００１２】
さらに、入力端子はコンポーネント信号を入力する複数の入力端子を有し、複数の入力端子のそれぞれがコンポジット信号を入力可能とするようにしても良い。つまり、コンポーネント信号を入力する複数の端子は、輝度（Ｙ）信号端子、Ｃｂ／Ｐｂ信号端子、およびＣｒ／Ｐｒ信号端子であり、これらの信号のそれぞれがコンポジット信号の入力端子と共用されるようにしても良い。
【００１３】
好ましくは判別手段は、前記画像信号に含まれる同期信号からコンポーネント信号またはコンポジット信号かを判別するようにしても良い。コンポジット信号は、輝度信号、クロマ（色）信号の他に、同期信号を含み、この同期信号の周波数等から画像信号がコンポジット信号であるかコンポーネント信号であるかを判別することができる。
【００１４】
さらに好ましくは、判別手段は、画像信号に含まれるクロマ信号からコンポーネント信号またはコンポジット信号を判別するようにしても良い。
【００１５】
さらに画像処理装置は、コンポーネント信号とコンポジット信号を出力するための出力端子を有するものであっても良い。例えば、ビデオやビデオディスクプレイヤー等のような電子機器である。また、画像処理装置は、入力した画像信号から画像を光学的に投射表示するプロジェクタを含むものであっても良い。
【００１６】
【発明の実施の形態】
以下、本発明の実施の形態について図面を参照して詳細に説明する。
図１は本実施の形態に係る画像処理装置の画像信号入力端子の構成を示す図である。画像処理装置１０は、例えばプロジェクタであり、画像信号（または映像信号）を入力しこの信号に基づき画像の投射表示を行う。画像処理装置１０は、入力端子として３つの端子１、２、３を有し、これらの入力端子により画像信号としてのコンポジット信号とコンポーネント信号との入力を可能にする。
【００１７】
入力端子１、２、３は、画像処理装置１０の本体ハウジングの一面に形成される。入力端子１は、コンポジット信号を入力するＶｉｄｅｏ端子とコンポーネント信号の輝度（Ｙ）信号を入力するＹ端子とを入力可能とする、共有端子である。入力端子２は、コンポーネント信号の色差信号Ｃｂ／Ｐｂを入力する端子であり、入力端子３は、コンポーネント信号の色差信号Ｃｒ／Ｐｒを入力する端子である。
【００１８】
図２は画像処理装置の入力端子に接続された入力回路の構成を示す。本実施の態様の画像信号用入力回路は、ビデオデコーダ１１と判定分離回路１２とを含む。判定分離回路１２は、コンポジット信号とコンポーネント信号の共有端子である入力端子１、色差信号Ｃｂ／Ｐｂ入力端子２及び色差信号Ｃｒ／Ｐｒ入力端子３とビデオデコーダ１１との間に接続され、入力端子１ないし入力端子３から入力された画像信号に基づき画像信号がコンポジット信号であるかコンポーネント信号であるかを判別または判定し、その判別結果に従い画像信号をビデオデコーダ１１の入力部１１ａまたは１１ｄへ出力する。
【００１９】
ビデオデコーダ１１は、コンポーネント信号である輝度（Ｙ）信号、色差信号（Ｃｂ／Ｐｂ、Ｃｒ／Ｐｒ）をそれぞれ入力する入力部１１ａ、１１ｂ、１１ｃと、コンポジット信号であるＶｉｄｅｏ信号を入力する入力部１１ｄとを有する。ビデオデコーダ１１は、各入力部に入力された信号に応じた処理を行う。コンポーネント信号は、それぞれ入力部１１ａ、１１ｂ、１１ｃより入力され、そこでＡ／Ｄコンバータ等によりデジタル信号に変換されデジタル画像信号１３として出力される。また、コンポジット信号は入力部１１ｄに入力され、そこで輝度成分、色成分、および同期成分の分離が行われ、それら輝度信号や色信号がデジタル変換されデジタル画像信号１３および同期信号が出力される。
【００２０】
図３は図２に示す判定分離回路１２の内部構成を示すブロック図である。判定分離回路１２は、入力端子１、２、３に接続された信号判別部１２ａと、信号判別部１２ａの判別結果１２ｂを受け取り、入力端子１、２、３からの各画像信号をビデオデコーダ１１の対応する入力部１１ａ、１１ｂ、１１ｃ、１１ｄへ出力させる出力切替部１２ｃとを有する。
【００２１】
信号判別部１２ａの動作は、図４に示すような画像信号判別フローによって行われる。
【００２２】
画像信号が入力端子１ないし３または入力端子１に入力され、これが信号判別部１２ａに入力される（ステップ２１）。信号判別部１２ａは、入力された画像信号に輝度（Ｙ）信号および同期信号があるか含まれているか否かをチェックする（ステップ２２）。それらの信号が確認されると、次いでその同期信号の周波数の判別を行う（ステップ２３）。本実施の形態では、処理する画像信号はＮＴＳＣ／ＰＡＬのような画像信号かＹＰｂＰｒのようなハイビジョン信号かを判別する。
【００２３】
画像信号の同期信号がハイビジョン信号である場合、その画像信号にコンポーネント信号に輝度（Ｙ）信号または色差（Ｐｂ、Ｐｒ）信号が含まれているかをチェックし（ステップ２４）、それらの信号が含まれていることが確認されたら、信号判別部１２ａは、画像信号をコンポーネント信号（ＹＰｂＰｒ）と判別し（ステップ２５）、この判別結果１２ｂを出力切替部１２ｃへ出力する。
【００２４】
画像信号の同期信号がＮＴＳＣ／ＰＡＬ信号である場合、さらに画像信号に色（クロマ）信号が含まれているか否かチェックする（ステップ２６）。クロマ信号が含まれている場合には、画像信号をコンポジット信号と判別し（ステップ２７）、この判別結果１２ｂを出力切替部１２ｃへ出力する。
【００２５】
画像信号にクロマ信号が含まれていない場合、さらに色差（ＣｂＣｒ）信号が含まれているか否かをチェックし（ステップ２８）、これが含まれていると判別された場合にはコンポーネント信号（ＹＣｂＣｒ）と判別し（ステップ２９）、その判別結果１２ｂを出力切替部１２ｃへ出力する。他方、ステップ２８においてＣｂＣｒ信号が確認できないときは、画像信号が白黒映像であると判別し、これをコンポジット信号として処理する（ステップ２７）。
【００２６】
出力切替部１２ｃは、信号判別部１２ａが画像信号をコンポーネント信号であると判別した場合（ステップ２５、２９）には、入力端子１に入力された画像信号をビデオデコーダ１１の入力部１１ａ（Ｙ端子）へ出力し、画像信号がコンポジット信号であると判別された場合（ステップ２７）には、入力された画像信号をビデオデコーダ１１の入力部１１ｄ（Ｖｉｄｅｏ端子）へ出力する。
【００２７】
こうすることで、コンポジット信号とコンポーネント信号の輝度（Ｙ）信号との入力端子を共有することができ、プロジェクタ等の入力端子数を減らし、そのスペースを削減することができる。
【００２８】
図５は本発明の第２の実施の形態に係る画像信号の入力回路の構成を示すブロック図である。本実施の形態では、コンポーネント信号の輝度（Ｙ）信号の入力端子３１、色差（Ｃｂ／Ｐｂ）信号の入力端子３２、色差（Ｃｒ／Ｐｒ）信号の入力端子３３のすべての端子をコンポジット信号（Ｖｉｄｅｏ信号）の入力端子と共用あるいは兼用したものである。
【００２９】
すべての入力端子３１、３２、３３とビデオデコーダ１１との間に判定分離回路３４が介在され、これによってこれら入力端子３１、３２、３３から入力された画像信号がコンポジット信号であるかコンポーネント信号であるかの判別を行い、判別結果に応じて画像信号をビデオデコーダ１１の対応する入力部１１ａ、１１ｂ、１１ｃ、１１ｄへ出力する。判定分離回路３４の構成構成は、第１の実施の形態のものと同様であり、信号判別部によって図４に示す画像信号判別フローが行われ、その結果に従い出力切替部が入力画像信号の出力を制御する。
【００３０】
第２の実施の形態では、コンポーネント信号用の複数の入力端子のそれぞれをコンポジット信号用の入力端子と共用とすることで、画像信号入力端子の融通性をより向上させることができる。
【００３１】
以上、本発明の好ましい実施の形態について詳述したが、本発明は係る特定の実施形態に限定されるものではなく、特許請求の範囲に記載された本発明の要旨の範囲内において、種々の変形・変更が可能である。
【００３２】
上記実施の形態では、画像信号入力端子に対応する入力部を備えたビデオデコーダを一体として示したが、これに限らず、それぞれの入力部を個別に備えた複数のビデデコーダであっても良い。また、図５の判定分離回路３４は一体として示されたが、これに限らず、それぞれの入力端子３１、３２、３３に接続される個別の複数の判定分離回路であってもよい。
【００３３】
さらに上記実施の態様では、画像信号入力端子を備えた装置を対象にしたが、これに限らず、画像信号出力端子を備えた画像処理装置であっても良い。その場合、画像信号入力端子においてコンポーネント信号とコンポジット信号との入力を共用することが可能なのは言うまでもないが、画像信号出力端子においてコンポジット信号の入力を兼ねるようにすることも可能である。例えば、コンポーネント信号の輝度（Ｙ）出力端子がコンポジット信号の入力端子機能を共有させることも可能である。そのためには、上述したように図２あるいは図５に示すようなコンポーネント信号とコンポジット信号を判別・分離する判定分離回路を出力端子に接続する必要がある。
【００３４】
【発明の効果】
以上説明したように本発明によれば、コンポーネント信号及びコンポジット信号が入力可能な入力端子と、この入力端子に入力された画像信号をコンポジット信号またはコンポーネント信号を判別しその判別結果に従い画像信号をそれぞれの処理部へ選択的に出力するようにしたので、画像信号を入力する端子をコンポジット信号とコンポーネント信号とで共用もしくは共有することが可能となり、その結果、画像処理装置の入力端子数を減らし、端子の占有スペースを削減し、装置の小型化、薄型化を図ることができる。
【図面の簡単な説明】
【図１】図１は本発明の第１の実施の形態に係る画像処理装置の画像信号入力端子の構成を示す図である。
【図２】図２は図１の画像信号入力端子に接続された画像信号用入力回路の構成を示すブロック図である。
【図３】図２に示す判定分離回路の内部構成を示すブロック図である。
【図４】判定分離回路の動作を示す画像信号判別フローを示す図である。
【図５】本発明の第２の実施の形態に係る画像信号用入力回路の構成を示すブロック図である。
【図６】従来の画像処理装置における画像信号入力端子の構成を示す図である。
【図７】従来の画像信号入力端子に接続された画像信号入力回路の構成を示すブロック図である。
【符号の説明】
１、２、３、３１、３２、３３：画像信号入力端子
１１：ビデオデコーダ
１１ａ、１１ｂ、１１ｃ、１１ｄ：入力部
１２、３４：判定分離回路
１２ａ：信号判別部
１２ｃ：出力切替部
【図１】
2004056719.tif 000003
【図２】
2004056719.tif 000004
【図３】
2004056719.tif 000005
【図４】
2004056719.tif 000006
【図５】
2004056719.tif 000007
【図６】
2004056719.tif 000008
【図７】
2004056719.tif 000009